(57)【要約】【課題】差込み方向を気にすることなくフォークを自由に差込めるパレットを提供する。【解決手段】上デッキプレートと、この上デッキプレートと同形状とされた下デッキプレートと、これら両デッキプレートの中央部どうしを連結する所定高さの桁とからなるパレットとし、桁中心から桁外縁までの幅寸法を、全方向で上デッキプレート及び下デッキプレートの中心から外縁までの幅寸法より、所定寸法だけ小さく形成する。これにより、上デッキプレートの下面、下デッキプレートの上面、及び桁外縁とで区画される空間に、どの方向からでもフォークを差込み、当該パレットを掬い上げることができる。【選択図】  図１
2004238061.tif 000002
【特許請求の範囲】
【請求項１】
上デッキプレートと、この上デッキプレートと同形状とされた下デッキプレートと、これら両デッキプレートの中央部どうしを連結する所定高さの桁とからなり、
桁中心から桁外縁までの幅寸法が、全方向で上デッキプレート及び下デッキプレートの中心から外縁までの幅寸法より所定寸法だけ小さく形成されていることを特徴とするパレット。
【請求項２】
前記両デッキプレートが円板状に形成されると共に前記桁が円柱状又は円筒状に形成され、前記両デッキプレートと前記桁とが同一軸状に配されることを特徴とする請求項１に記載のパレット。
【発明の詳細な説明】
【０００１】
【発明の属する技術分野】
本発明は運搬用に用いられる、荷物を載せるためのパレットに関する。
【０００２】
【従来の技術】
従来、荷物を運搬するために用いるパレットとしては、例えば図５の斜視図に示すように、上下のデッキプレート１を幅方向の両端部及び中央部の３箇所でその奥行き方向の全長にわたって延びる桁２で連結したものが多用されている。又、下記文献に記載されているように、矩形平面状の上下のデッキプレートと、これらを所定の上下間隔で連結する円筒形の桁を４隅に備えるものや、矩形平面状の上下のデッキプレートどうしを連結する円柱形の桁を４隅部、周縁中間部及び中央部の９箇所に配置したパレットも利用されている。
【０００３】
【文献１】
実開昭６１−１４４０２９号公報
【文献２】
実開平６−３９７２７号公報
【０００４】
【発明が解決しようとする課題】
ところで、従来のパレットによれば、フォークを差込み可能な方向が桁により限定されるため、差込み方向を誤ればフォークが桁に当ってしまい、パレット上の荷物が荷崩れしたりパレットが傷付いたりするという問題がある。
【０００５】
本発明は上記の問題を鑑みてなされたものであり、差込み方向を気にすることなくフォークを自由に差込めるパレットを提供することを目的とする。
【０００６】
【課題を解決するための手段】
上記の目的を達成するため、本発明に係るパレットは、上デッキプレートと、この上デッキプレートと同形状とされた下デッキプレートと、これら両デッキプレートの中央部どうしを連結する所定高さの桁とからなり、桁中心から桁外縁までの幅寸法が、全方向で上デッキプレート及び下デッキプレートの中心から外縁までの幅寸法より所定寸法だけ小さく形成されていることを特徴とする、という技術的手段を採用する。
【０００７】
これによれば、全方向で、両デッキプレート間に桁の外縁から両デッキプレートの外縁までにわたってフォークを差込み可能な空間が形成されることになり、例えば左右のフォークの中間に桁中心又はデッキプレートの中心を合わせれば、差込み方向に関係なく上記空間にフォークを差込むことができ、フォークを桁に衝突させることなく左右のフォークでパレットを掬い上げることができる。
【０００８】
本発明において、上下のデッキプレートの平面視における輪郭形状は特に限定されず、例えば従来多用されている長方形、正方形などとしてもよいが、両デッキプレートを円板状に形成するという構成を採用すれば、全方向でフォークを差込み可能な長さを一定とすることが可能となる。
【０００９】
又、本発明において、桁の平面視における輪郭形状は特に限定されず、例えば従来多用されている多角柱状としてもよいが、円柱状又は円筒状に形成するという構成を採用することができ、更に、両デッキプレートを円板状に形成し、桁を円柱状又は円筒状に形成して、両デッキプレートと桁とを同一軸状に配し平面視同心円状とする構成を採用することもできる。両デッキプレートと桁とを平面視同心円状とすれば、全方向から同様にフォークを差込むことができ、このように構成されたパレットを用いることで極めて作業性が向上する。
【００１０】
もちろん、桁は中実構造であっても、中空構造であっても良く、中空構造の場合にはその中空部に補強材を設けたり、軽量化のためにその肉壁に重量軽減孔を貫設したりすることも可能である。尚、桁の側面視における形状は、幅寸法が上下方向に一様であるものに限られず、鼓形などの上下方向に中細りの形状や、太鼓形、紡錘形などの上下方向に中太りの形状や、連続的な又は段階的な幅の増減を繰返す形状であってもよい。
【００１１】
尚、フォークにて掬い上げて搬送することを前提とすれば、本発明に係るパレットにおいて、前記所定寸法は、当該パレットを掬い上げるために用いられるフォークの幅寸法以上に設定され、前記所定高さは、当該パレットを掬い上げるために用いられるフォークの厚さ寸法以上に設定される必要があり、このように設定されることで、上デッキプレートの下面、下デッキプレートの上面、及び桁外縁で区画される空間にフォークを差込み、当該パレットを掬い上げることができる。
【００１２】
【発明の実施の形態】
本発明の一実施例に係るパレットを図面に基づいて具体的に説明すれば、以下の通りである。
【００１３】
図１に示すように、この実施例のパレットＰは、円板状で上下同形状とされた上下のデッキプレート１と、これらの中央部どうしを連結する一つの円柱形の桁２とから成り、上下のデッキプレート１と桁２とは同一軸Ｃ上に配されている。図２はパレットＰの中心軸Ｃを含む任意の断面を示す断面図であり、この図２に示すように、桁２が上下に所定の高さを有し、且つ桁２の中心である中心軸Ｃから桁２の外縁までの幅寸法が、全方向で上下のデッキプレート１の中心である中心軸Ｃから外縁までの幅寸法より所定寸法だけ小さく形成されている。ここで、桁２の高さ寸法は、パレットＰを掬い上げるために用いられるフォークＦの厚さ寸法以上に設定され、上記所定寸法は、パレットＰを掬い上げるために用いられるフォークＦ幅寸法以上に設定されており、このように設定されることで、上デッキプレート１の下面、下デッキプレート１の上面、及び桁２の外縁で区画される空間が、フォークＦを差込み可能な広さの空間とされている。
【００１４】
上下のデッキプレート１や桁２の詳細な寸法は、このパレットＰで取扱う荷物の大きさや荷重、フォークＦの形状やフォーク間距離などを考慮して適当に設計される。上下のデッキプレート１の形状は荷物の形状に応じて設計すればよく、ロール紙やタイヤなど荷物が円柱形や円筒形である場合には、図１に示すように円板状とし、荷物が立方体や直方体である場合には、図３に示すように矩形状に形成してもよい。又、上下のデッキプレート１の形状は荷物と共にパレットＰが収納される棚の形態に応じて設計してもよく、棚の収納空間が円柱形である場合には、図１に示すように円板状とし、棚の収納空間が立方体や直方体である場合には、図３に示すように矩形状に形成してもよい。更に、桁２の形状も上記のような円柱形に限らず、多角柱形や鼓形、紡錘形などに形成することができ、又、必要な強度が確保されれば中実構造でなく中空構造であってもよい。
【００１５】
このパレットＰによれば、全方位からフォークＦを差込むことが可能であるので、例えば図４の平面図に示すように、左右のフォークＦの中間に桁２が入るように種々の方向からフォークＦを差込み、掬い上げることができ、この際にはフォークＦが桁２に衝突することによる荷崩れやパレットＰの損傷を起こすことがないのである。又、この実施例では、上下のデッキプレート１が桁２と同心円状に形成してあるので、全方位から同様にパレットＰを掬い取ることができ、例えばフォークＦを差込むためにフォークリフトの向きを変えるなどの手間がかからず、極めて作業性が向上するという効果が得られる。
【００１６】
【発明の効果】
本発明によれば、例えば左右のフォークの間に桁が入るようにしさえすれば、どの方向からでもフォークをパレットに差込んで掬い上げることができるので、フォークによるパレットの掬い上げ作業を極めて簡便、且つ安全に実施できるという効果を得ることができる。
【図面の簡単な説明】
【図１】本発明の一実施例を示す斜視図である。
【図２】本発明の一実施例を示す断面図である。
【図３】本発明の他の実施例を示す斜視図である。
【図４】本発明を示す平面図である。
【図５】従来の技術を示す斜視図である。
【符号の説明】
１  デッキプレート
２  桁
Ｐ  パレット
Ｆ  フォーク
【図１】
2004238061.tif 000003
【図２】
2004238061.tif 000004
【図３】
2004238061.tif 000005
【図４】
2004238061.tif 000006
【図５】
2004238061.tif 000007